(57)【要約】【課題】容易に組み立てることができる浴室ユニットを提供する。【解決手段】浴室ユニット１は、浴槽１０、フレーム部材２０、及び位置決め部材３０を備えている。位置決め部材３０は、フレーム部材２０から上方又は側方に突出するように設けられており、浴槽１０に当接して浴槽を位置決めする。そして、位置決め部材３０は、浴槽１０が洗い場床４０から離間する方向へ移動するのを規制することにより浴槽１０を位置決めする。このため、浴槽１０の位置決めは、浴槽１０を正規の位置よりも手前側に載置し、洗い場床４０から離間する方向へ浴槽１０を押し込むという簡易な方法で行うことができる。【選択図】図１
2017169829.tif 000002
【特許請求の範囲】
【請求項１】
洗い場床に隣接して設けられる浴槽と、
前記洗い場床から平行に延びるように設けられ、前記浴槽が載置される複数のフレーム部材と、
前記フレーム部材から上方又は側方に突出するように設けられ、前記浴槽に当接して前記浴槽を位置決めする位置決め部材と、を備え、
前記位置決め部材は、前記浴槽が前記洗い場床から離間する方向へ移動するのを規制することにより位置決めすることを特徴とする浴室ユニット。
【請求項２】
前記位置決め部材は、前記フレーム部材の前記洗い場床から離間した側の端部に設けられていることを特徴とする請求項１記載の浴室ユニット。
【発明の詳細な説明】
【技術分野】
【０００１】
本発明は浴室ユニットに関するものである。
【背景技術】
【０００２】
特許文献１は従来の浴室ユニットを開示している。この浴室ユニットは、フレームと、このフレーム上に載置される浴槽と、を備えている。浴槽には、フレームと嵌合する位置決め凹部が形成されている。位置決め凹部は一端が閉塞されている。そして、浴槽の位置決めは、位置決め凹部をフレームに嵌合し、フレームの長手方向の端面を位置決め凹部の閉塞端に当接させることにより行われる。
【先行技術文献】
【特許文献】
【０００３】
【特許文献１】特開２０１０−１０４６３１号公報
【発明の概要】
【発明が解決しようとする課題】
【０００４】
特許文献１で開示される浴室ユニットの場合、浴槽の位置決めを行うためには、浴槽を、位置決め凹部の閉塞端がフレーム端面を越える位置に一旦載置して、その後、浴槽をフレームに沿って洗い場床側に引き寄せ、位置決め凹部の閉塞端とフレームの端面を当接させることが考えられる。しかし、浴槽をフレームに載置する作業は、通常は、洗い場床側から行われる。このため、浴槽を正規の位置よりも一旦奥に載置する作業は繁雑であった。また、浴槽が正規の位置よりも手前の洗い場床寄りの位置に載置されてしまうと、位置決め凹部の閉塞端がフレームの上面に乗り上げてしまい、位置決め凹部をフレームに嵌めることができない。
【０００５】
本発明は、上記従来の実情に鑑みてなされたものであって、容易に組み立て可能な浴室ユニットを提供することを解決すべき課題としている。
【課題を解決するための手段】
【０００６】
本発明の浴室ユニットは、洗い場床に隣接して設けられる浴槽と、
前記洗い場床から平行に延びるように設けられ、前記浴槽が載置される複数のフレーム部材と、
前記フレーム部材から上方又は側方に突出するように設けられ、前記浴槽に当接して前記浴槽を位置決めする位置決め部材と、を備え、
前記位置決め部材は、前記浴槽が前記洗い場床から離間する方向へ移動するのを規制することにより位置決めすることを特徴とする。
【０００７】
この浴室ユニットは、浴槽、フレーム部材、及び位置決め部材を備えている。位置決め部材は、フレーム部材から上方又は側方に突出するように設けられており、浴槽に当接して浴槽を位置決めする。そして、位置決め部材は、浴槽が洗い場床から離間する方向へ移動するのを規制することにより浴槽を位置決めする。このような構成により、浴槽の位置決めを容易に行うことができる。すなわち、浴槽の位置決めは、浴槽を正規の位置よりも手前側に載置し、洗い場床から離間する方向へ浴槽を押し込むという簡易な方法で行うことができる。
【０００８】
したがって、本発明の浴室ユニットは、容易に組み立てることができる。
【図面の簡単な説明】
【０００９】
【図１】実施例１に係る浴室ユニットを示す斜視図である。
【図２】実施例１に係る浴室ユニットの断面図である。
【図３】実施例１に係る浴室ユニットの要部拡大断面図である。
【図４】実施例１に係る浴槽の下部の要部拡大斜視図である。
【図５】実施例１に係るフレーム部材及び位置決め部材を示す拡大側面図である。
【図６】実施例１に係る浴槽の下部とフレーム部材を示す要部拡大断面図である。
【図７】実施例１に係る浴槽の設置方法を説明するための図である。
【図８】実施例１に係る浴槽の設置方法を説明するための図である。
【図９】実施例１に係る浴槽の設置方法を説明するための図である。
【図１０】実施例２に係る浴室ユニットの要部を示す側面図である。
【発明を実施するための形態】
【００１０】
本発明における好ましい実施の形態を説明する。
【００１１】
本発明の浴室ユニットにおいて、前記位置決め部材は、前記フレーム部材の前記洗い場床から離間した側の端部に設けられ得る。この場合、浴槽をフレーム部材上に載置する際に、浴槽を正規の位置よりも洗い場床側に寄せて載置することにより、浴槽下部が位置決め部材に乗り上げてしまうのを防止できる。
【００１２】
次に、本発明の浴室ユニットを具体化した実施例１及び２について、図面を参照しつつ説明する。なお、以下の説明では、便宜上、鉛直方向を上下方向とする。そして、浴槽１０と洗い場床４０の並ぶ方向を前後方向とし、洗い場床４０側を前側、浴槽１０側を後側とする。
【００１３】
＜実施例１＞
実施例１の浴室ユニット１は、図１〜図３に示すように、浴槽１０、フレーム部材２０、及び位置決め部材３０を備えている。また、浴室ユニット１は、洗い場床４０を備えている。
【００１４】
浴槽１０は、洗い場床４０に隣接して設けられている。浴槽１０は、フレーム部材２０の上面に載置される。浴槽１０は、浴槽部１１、フランジ部１２、前垂れ部１３、壁載置部１４、立壁部１５、及び補強部１６を有しており、これらは一体成形されている。浴槽部１１は上面が開放された箱状に形成されている。フランジ部１２は、浴槽部１１の上端から周縁に広がるように形成されている。前垂れ部１３は、フランジ部１２の洗い場床４０側の外縁から下方に延びて形成されている。
【００１５】
壁載置部１４は、浴槽１０のフランジ部１２の周縁から更に外側に広がるように形成されている。壁載置部１４には、浴室の内壁を構成する壁部材（図示せず）が載置される。壁載置部１４は、浴槽部１１の上方を三方から囲うように、フランジ部１２の四方の周縁のうちの後側及び左右両側の周縁に設けられている。立壁部１５は、壁載置部１４の外縁から立ち上がるように形成されている。立壁部１５は、壁載置部１４の外縁の略全周に渡って、浴槽部１１を三方から囲うように形成されている。立壁部１５はいわゆる水返しである。
【００１６】
補強部１６は、浴槽部１１の下面から下方に突出するようにリブ状に形成されており、浴槽１０の下部を補強する。図４に示すように、補強部１６は、前後方向に延びるリブと左右方向に延びるリブとを格子状に組み合わせて形成されている。
【００１７】
フレーム部材２０は、洗い場床４０から平行に延びるように複数（図１中２つ）設けられている。フレーム部材２０は、一端側が洗い場床４０の下面に固定されており、他端側が洗い場床４０の浴槽１０側の縁部を越えて後方に延びている。フレーム部材２０は断面略方形状の角パイプにより形成されている。また、フレーム部材２０の下面には高さ調整用のアジャスターボルトが取り付けられている。
【００１８】
位置決め部材３０は、浴槽１０に当接して浴槽１０を位置決めする。また、位置決め部材３０は、浴槽１０が洗い場床から離間する方向へ移動するのを規制することにより浴槽１０を位置決めする。位置決め部材３０は、フレーム部材２０から上方に突出するように設けられている。図５に示すように、位置決め部材３０は断面略Ｌ字状に形成されている。位置決め部材３０は側面視においてＬ字をなすように配されている。位置決め部材３０は、Ｌ字の水平部位３０Ａがフレーム部材２０の上面に固定されるとともに、垂直部位３０Ｂが浴槽１０に当接可能に上方に突出している。位置決め部材３０は、フレーム部材２０の上面にボルトで固定されているとともに、ボルトを緩めることで、フレーム部材２０の上面に沿って前後方向に移動可能に設けられている。また、位置決め部材３０は、フレーム部材２０の洗い場床４０から離間した側の端部に設けられている。
【００１９】
洗い場床４０は浴槽１０に隣接して配設される。図１に示すように、洗い場床４０は、床面部４１と、この床面部４１の浴槽１０寄りの位置に設けられた排水部４２と、を有している。床面部４１には、床面部４１の上面に落下した湯水が排水部４２に向かって流れるように勾配が付けられている。床面部４１の浴槽１０側の端部には、浴槽１０の前面を覆うように立ち上がるエプロン部４３が設けられている。エプロン部４３は床面部４１に一体に形成されている。図２に示すように、エプロン部４３の上端は、浴槽１０の前垂れ部１３の内側に入り込んで浴槽１０に連結されるように形成されている。また、エプロン部４３には開口部４３Ａが形成されている。開口部４３Ａは、浴槽１０の下部や床面、上下水配管等の点検に用いられる。また、開口部４３Ａは、浴槽１０の前垂れ部１３とエプロン部４３との連結の際の作業窓としても用いられる。開口部４３Ａは通常は蓋４３Ｂで閉塞されている。
【００２０】
また、洗い場床４０側にも浴槽１０側と同様の壁載置部１４及び立壁部１５が設けられている。洗い場床４０側の壁載置部１４は、図１に示すように、床面部４１の周縁から外側方向に広がるように形成されている。洗い場床４０側の壁載置部１４及び立壁部１５は、床面部４１の上方を三方から囲うように、床面部４１の四方の周縁のうちの前側及び左右両側の周縁に設けられている。
【００２１】
図４に示すように、浴槽１０の下部には、フレーム部材２０と係合する係合部１７と、位置決め部材３０と当接する位置決め当接部１８と、が設けられている。これら係合部１７及び位置決め当接部１８は、それぞれ補強部１６のリブにより構成されている。
【００２２】
図１〜図３に示すように、係合部１７は、浴槽１０の前方側及び後方側にそれぞれ設けられている。係合部１７は、フレーム部材２０の上面に当接するフレーム当接部１７Ａと、このフレーム当接部１７Ａの左右方向の両側に設けられたガイド部１７Ｂと、を有している。図６に示すように、係合部１７は、フレーム当接部１７Ａ及びガイド部１７Ｂがフレーム部材２０に上方から跨がるような形態で、フレーム部材２０と係合する。
【００２３】
フレーム当接部１７Ａは、補強部１６を構成するリブのうちの前後方向に延びるリブにより構成されている。浴槽１０は、このフレーム当接部１７Ａの下端がフレーム部材２０の上面に当接することによりフレーム部材２０上に載置される。フレーム当接部１７Ａは、浴槽１０がフレーム部材２０に載置された状態において、その延びる方向はフレーム部材２０の延びる方向に略平行である。フレーム当接部１７Ａは、前後方向に延びるリブの下端面がフレーム部材２０の上面に略全長に渡って当接するように設けられている。
【００２４】
ガイド部１７Ｂは、フレーム当接部１７Ａの左右方向の両側に隣接して設けられている。浴槽１０は、このガイド部１７Ｂによりガイドされて前後方向に移動する。ガイド部１７Ｂは、その下端がフレーム当接部１７Ａの下端よりも下方に突出して形成されている。このため、ガイド部１７Ｂは、浴槽１０がフレーム部材２０上に載置されたときには、その下端がフレーム部材２０の上面よりも下方に位置し、その側面とフレーム部材２０の側面とが対向する。また、図３に示すように、ガイド部１７Ｂは、補強部１６の前後方向に延びるリブにおいて、前方端部と後方端部をそれぞれ下方に突出させることにより形成されている。
【００２５】
位置決め当接部１８は、補強部１６の左右方向に延びるリブにより構成されている。位置決め部材３０は、浴槽１０が位置決めされたときには、この位置決め当接部１８の後面に当接する。位置決め当接部１８は、前後方向に延びるフレーム当接部１７Ａの後端に設けられている。位置決め当接部１８とフレーム当接部１７Ａは、フレーム当接部１７Ａの後端が位置決め当接部１８の前面に突き当たるような形態で連結されている。また、位置決め当接部１８の左右両端は、ガイド部１７Ｂの内側面（フレーム当接部１７Ａ側の面）に突き当たるような形態でそれぞれ連結されている。
【００２６】
次に、上記のように構成された実施例１の浴室ユニット１における浴槽の位置決め方法について説明する。
最初に、図７に示すように、所定位置に設置されたフレーム部材２０及び洗い場床４０に対して、洗い場床４０側からフレーム部材２０上に浴槽１０を載置する。このとき、フレーム当接部１７Ａ及びガイド部１７Ｂがフレーム部材２０に上方から跨がるような形態で、係合部１７がフレーム部材２０に係合するように浴槽１０を載置する。また、このとき、図８に示すように、浴槽１０を二点鎖線で示した正規の位置よりも手前側（洗い場床４０側）に載置する。
【００２７】
そして、図９に示すように、浴槽１０を洗い場床４０から離間する方向へ押し込む。このとき、ガイド部１７Ｂの作用により、浴槽１０をフレーム部材２０に沿わせて好適に押し込むことができる。そして、位置決め当接部１８を位置決め部材３０に当接させるまで浴槽１０を押し込むことにより、浴槽１０の位置決めが完了する。
【００２８】
なお、浴室ユニット１は、浴槽１０とフレーム部材２０とを固定する固定手段は用いていない。浴室ユニット１は、浴槽１０及び洗い場床４０の周縁に柱部材や壁部材等を組み付けることによりユニット全体が一体化されて固定される。
【００２９】
また、浴槽１０をフレーム部材２０上に載置するときには、エプロン部４３の上端部は浴槽１０の前垂れ部１３の後側に入れ込まれる。この状態において、エプロン部４３は、図８に示すように、浴槽１０が正規の位置よりも手前側に載置されていることにより、その上端が洗い場床４０側に傾いてしまっている。そして、浴槽１０を洗い場床４０から離間する方向へ押し込むことにより、エプロン部４３の洗い場床４０側への傾きが解消され、エプロン部４３は略垂直に立設される。また、本実施例１の浴室ユニット１では、位置決め部材３０の位置を前後方向に調整したり、エプロン部４３と浴槽１０と連結箇所にて調整を行ったりすることにより、エプロン部４３の傾きの微調整も行うことができる。
【００３０】
また、浴槽１０をフレーム部材２０上に載置するときには、以下のようにしてもよい。最初に、浴槽１０を傾けた状態で、後側の係止部１７を先にフレーム部材２０に載置する。そして、浴槽１０の前側を浮かせた状態で、フレーム部材２０に沿って浴槽１０を後方へ押し込みながら浴槽１０の前側を下ろしてゆき、前垂れ部１３の後側にエプロン部４３の上端部を入れ込むようにする。この場合、エプロン部４３が洗い場床４０側へ大きく傾くのを抑えつつ浴槽１０を載置できる。
【００３１】
次に、上記のように構成された本実施例１の浴室ユニット１の作用効果を説明する。実施例１の浴室ユニット１は、浴槽１０、フレーム部材２０、及び位置決め部材３０を備えている。位置決め部材３０は、フレーム部材２０から上方に突出するように設けられており、浴槽１０に当接して浴槽１０を位置決めする。そして、位置決め部材３０は、浴槽１０が洗い場床４０から離間する方向へ移動するのを規制することにより浴槽１０を位置決めする。このような構成により、浴槽１０の位置決めを容易に行うことができる。すなわち、浴槽１０の位置決めは、浴槽１０を正規の位置よりも手前側に載置し、その後、洗い場床４０から離間する方向へ浴槽１０を押し込むという簡易な方法で行うことができる。
【００３２】
したがって、本実施例１の浴室ユニット１は、容易に組み立てることができる。
【００３３】
また、浴室ユニット１は、位置決め部材３０を、フレーム部材２０の洗い場床４０から離間した側の端部に設けられている。このため、浴槽１０をフレーム部材２０上に載置する際に、浴槽１０を正規の位置よりも洗い場床４０側に寄せて載置することにより、浴槽１０の下部が位置決め部材３０に乗り上げてしまうのを防止できる。
【００３４】
また、浴室ユニット１は、位置決め部材３０が、フレーム部材２０に沿って前後方向に位置調整可能に設けられている。このため、浴槽１０の位置の微調整を容易に行うことができ、浴槽１０の位置決めをより確実に行うことができる。
【００３５】
また、浴室ユニット１は、洗い場床４０から離間する方向への押し込み作業により浴槽１０をフレーム部材２０に沿ってスライドさせ、位置決め当接部１８を位置決め部材３０に当接させる。このため、特許文献１のように浴槽を引っ張って位置決めする場合と比較して、より容易且つ確実に位置決めを行うことができる。また、確実に浴槽１０の位置決めを行うことができるので、定められた設計寸法で浴槽１０を配置することができ、その後に組み付けられる他部材も確実に組み付けることができる。例えば、浴室ユニット１の場合、壁部材は、浴槽１０及び洗い場床４０の周縁に設けられた壁載置部１４に立設される。このため、浴室内寸の大小により、エプロン部４３や他の壁部材との間に隙間が生じたり、嵌め込むことができなかったりしてしまう。しかし、壁部材が載置される浴槽の位置決めを確実に行うことにより、これらの不具合を回避することができる。
【００３６】
＜実施例２＞
実施例２の浴室ユニット１は、実施例１と同様に、浴槽１０及びフレーム部材２０を備えている。しかし、図１０に示すように、位置決め部材２３０がフレーム部材２０の左右方向の側方に突出するように設けられている点において、実施例１と相違する。他の構成は実施例１と同様であり、同一の構成は同一の符号を付して詳細な説明を省略する。
【００３７】
位置決め部材２３０は、実施例１の位置決め部材３０と同様に、断面略Ｌ字状に形成されてが、平面視においてＬ字をなすように配されており、Ｌ字の水平部位２３０Ａがフレーム部材２０の側面に固定されるとともに、垂直部位２３０Ｂが浴槽１０に当接可能に側方に突出している。
【００３８】
このような構成の実施例２の浴室ユニット１もまた、実施例１と同様に、浴槽１０の位置決めを容易に行うことができる。したがって、実施例２の浴室ユニット１もまた、容易に組み立てることができる。
【００３９】
本発明は上記記述及び図面によって説明した実施例に限定されるものではなく、例えば次のような実施例も本発明の技術的範囲に含まれる。
（１）実施例１及び２では、角パイプからなるフレーム部材２０を２つ備える例を示したが、例えば、フレーム部材を３つ以上備える形態であってもよい。また、フレーム部材を構成する材料は角パイプに限定されず、丸パイプや溝形鋼、山形鋼等の他の構造用材料等を用いてもよい。
（２）実施例１及び２では、フレーム部材２０に係合する係合部１７（フレーム当接部１７Ａ及びガイド部１７Ｂ）を、浴槽１０の下面を補強する補強部１６のリブを用いて形成したが、係合部の構成はこれに限定されない。
（３）実施例１及び２では、係合部１７を浴槽部の前方及び後方にそれぞれ設けるようにしたが、これに限定されず、前方、後方、及び中間のうちの少なくとも一箇所に設けたり、前方から後方に渡って延びるガイド部を備える係合部、すなわち、前方から後方に渡って一体的な係合部を設けたりなど、係合部の数、配設位置、配設形態等は適宜選択することができる。
（４）実施例１及び２では、位置決め部材３０に当接する位置決め当接部１８を、浴槽１０の下面を補強する補強部１６のリブを用いて形成したが、位置決め当接部の構成はこれに限定されない。位置決め当接部は、浴槽１０の補強部以外の他の部位を当接させるようにした形態であってもよいし、位置決め部材が当接する他部材を別途設けるようにしてもよい。
（５）実施例１及び２では、位置決め部材３０をフレーム部材２０にボルト止めして固定するようにしたが、位置決め部材の固定方法はこれに限定されない。また、位置決め部材３０をフレーム部材２０の長手方向に調整可能としたが、位置決め部材３０を、フレーム部材２０に沿って前後方向に位置調整可能に設けたが、これに限定されず、位置決め部材は、位置調整不能にフレーム部材に固定されていてもよい。
【符号の説明】
【００４０】
１…浴室ユニット
１０…浴槽
１１…浴槽部
１２…フランジ部
１３…前垂れ部
１４…壁載置部
１５…立壁部
１６…補強部
１７…係合部
１７Ａ…フレーム当接部
１７Ｂ…ガイド部
１８…位置決め当接部
２０…フレーム部材
３０，２３０…位置決め部材
３０Ａ，２３０Ａ…位置決め部材の水平部位
３０Ｂ，２３０Ｂ…位置決め部材の垂直部位
４０…洗い場床
４１…床面部
４２…排水部
４３…エプロン部
４３Ａ…開口部
４３Ｂ…蓋
【図１】
2017169829.tif 000003
【図２】
2017169829.tif 000004
【図３】
2017169829.tif 000005
【図４】
2017169829.tif 000006
【図５】
2017169829.tif 000007
【図６】
2017169829.tif 000008
【図７】
2017169829.tif 000009
【図８】
2017169829.tif 000010
【図９】
2017169829.tif 000011
【図１０】
2017169829.tif 000012